(57)【要約】【課題】展示物の位置決めや装入を容易にして手間や時間を省くとともに、額縁を立てた状態でも展示物を安定させることができる額縁を提供すること。【解決手段】外枠１のかかり１ａに透明な面材２を配設するとともに、面材２の裏側の外周部にスペーサ３を配し、スペーサ３を裏側から裏板４で押さえることにより、外枠１、面材２及び裏板４を一体化した額縁において、面材２と裏板４の間に、面材２及び裏板４と略同形の透明な中間板５を配設し、中間板５に展示物６を固定するようにする。【選択図】図１
0003127993.tif 000002
【実用新案登録請求の範囲】
【請求項１】
外枠のかかりに透明な面材を配設するとともに、該面材の裏側の外周部にスペーサを配し、該スペーサを裏側から裏板で押さえることにより、外枠、面材及び裏板を一体化した額縁において、面材と裏板の間に、該面材及び裏板と略同形の透明な中間板を配設し、該中間板に展示物を固定するようにしたことを特徴とする額縁。
【請求項２】
面材と中間板とで展示物を挟むようにしたことを特徴とする請求項１記載の額縁。
【請求項３】
中間板の上に、該中間板と略同形の透明な押さえ中間板を配設し、中間板と押さえ中間板とで展示物を挟むとともに、該中間板及び押さえ中間板を、面材と裏板との中間位置に配設したことを特徴とする請求項１記載の額縁。
【考案の詳細な説明】
【技術分野】
【０００１】
本考案は、額縁に関し、特に、展示物の位置決めや装入を容易にして手間や時間を省くとともに、額縁を立てた状態でも展示物を安定させることができる額縁に関するものである。
【背景技術】
【０００２】
額縁は、通常、図４に示すように、外枠１のかかり１ａにガラス製等の透明な面材２を配設するとともに、該面材２の裏側の外周部にスペーサ３を配し、該スペーサ３を裏側から裏板４で押さえることにより、外枠１、面材２及び裏板４を一体化するようになっている。
【０００３】
この場合、書等の紙作品、例えば、和紙、色紙等からなる展示物６は裏板上に固定されるが、立体的な見栄えをよくするために、従来では、展示物６の裏に嵩上げ片９を入れて、展示物６を裏板から少し浮かすように固定する場合がある。
【０００４】
しかしながら、上記従来の額縁では、展示物６の裏に嵩上げ片９を入れて、展示物６を裏板から浮くように固定することから、展示物６の位置決めや装入に手間や時間が掛かるとともに、額縁を立てた状態では、展示物６の安定性が欠けるという問題がある。
【考案の開示】
【考案が解決しようとする課題】
【０００５】
本考案は、上記従来の額縁が有する問題点に鑑み、展示物の位置決めや装入を容易にして手間や時間を省くとともに、額縁を立てた状態でも展示物を安定させることができる額縁を提供することを目的とする。
【課題を解決するための手段】
【０００６】
上記目的を達成するため、本考案の額縁は、外枠のかかりに透明な面材を配設するとともに、該面材の裏側の外周部にスペーサを配し、該スペーサを裏側から裏板で押さえることにより、外枠、面材及び裏板を一体化した額縁において、面材と裏板の間に、該面材及び裏板と略同形の透明な中間板を配設し、該中間板に展示物を固定するようにしたことを特徴とする。
【０００７】
この場合において、面材と中間板とで展示物を挟むようにすることができる。
【０００８】
また、中間板の上に、該中間板と略同形の透明な押さえ中間板を配設し、中間板と押さえ中間板とで展示物を挟むとともに、該中間板及び押さえ中間板を、面材と裏板との中間位置に配設することができる。
【考案の効果】
【０００９】
本考案の額縁によれば、外枠のかかりに透明な面材を配設するとともに、該面材の裏側の外周部にスペーサを配し、該スペーサを裏側から裏板で押さえることにより、外枠、面材及び裏板を一体化した額縁において、面材と裏板の間に、該面材及び裏板と略同形の透明な中間板を配設し、該中間板に展示物を固定することから、展示物の位置決めや装入を容易にして手間や時間を省くとともに、中間板で支持することにより、額縁を立てた状態でも展示物を安定させることができる。
【００１０】
この場合、面材と中間板とで展示物を挟むようにすることにより、展示物の位置決めや装入をさらに容易にするとともに、額縁を立てた状態では展示物をさらに安定させることができる。
【００１１】
また、中間板の上に、該中間板と略同形の透明な押さえ中間板を配設し、中間板と押さえ中間板とで展示物を挟むとともに、該中間板及び押さえ中間板を、面材と裏板との中間位置に配設することにより、展示物の位置決めや装入をさらに容易にしながら、展示物を適度に浮かせた状態でさらに安定して固定することができる。
【考案を実施するための最良の形態】
【００１２】
以下、本考案の額縁の実施の形態を、図面に基づいて説明する。
【実施例１】
【００１３】
図１に、本考案の額縁の第１実施例を示す。
この額縁は、外枠１のかかり１ａに透明な面材２を配設するとともに、該面材２の裏側の外周部にスペーサ３を配し、該スペーサ３を裏側から裏板４で押さえることにより、外枠１、面材２及び裏板４を一体化している。
そして、本実施例の額縁は、面材２と裏板４の間に、該面材２及び裏板４と略同形の透明な中間板５を配設し、該中間板５に書等の紙作品、例えば、和紙、色紙等からなる展示物６を固定するようにしている。
【００１４】
外枠１は、木やアルミからなり、正面視で四角の枠体を形成するとともに、断面において、その前部から内側に、面材２を掛止するかかり１ａを突設している。
面材２は、表板としてアクリル樹脂等の合成樹脂製やガラス製等の透明な板材からなり、外枠１のかかり１ａに当接した状態で、裏側からスペーサ３と裏板４とによって押圧され固定されている。
裏板４は、外枠１の内部を裏側から閉じるように配設され、トンボ等の裏板押さえ（図示省略）により、着脱可能に固定されている。
【００１５】
中間板５は、アクリル等の合成樹脂製やガラス製等の透明な板材からなり、本実施例では、スペーサ３を額縁の厚み方向に分割することにより、面材２と裏板４との中間位置に配設している。
そして、展示物６は、この中間板５の上に両面粘着テープ等により固定されている。
【実施例２】
【００１６】
図２に、本考案の額縁の第２実施例を示す。
この額縁は、面材２と裏板４の間に、該面材２及び裏板４と略同形の透明な中間板５を配設するとともに、面材２と中間板５とで展示物６を挟むことにより固定している。
【００１７】
なお、外枠１や面材２、裏板４等の構成は、第１実施例と同様であるため、その説明を省略する。
【実施例３】
【００１８】
図３に、本考案の額縁の第３実施例を示す。
この額縁は、面材２と裏板４の間に、該面材２及び裏板４と略同形の透明な中間板５を配設するとともに、中間板５の上に、該中間板５と略同形の透明な押さえ中間板７を配設し、中間板５と押さえ中間板７とで展示物６を挟み固定している。
そして、スペーサ３を額縁の厚み方向に分割することにより、中間板５及び押さえ中間板７を、面材２と裏板４との中間位置に配設している。
【００１９】
押さえ中間板７は、アクリル等の合成樹脂製やガラス製等の透明な板材からなる。
なお、外枠１や面材２、裏板４等の構成は、第１実施例と同様であるため、その説明を省略する。
【００２０】
かくして、本実施例の額縁は、外枠１のかかり１ａに透明な面材２を配設するとともに、該面材２の裏側の外周部にスペーサ３を配し、該スペーサ３を裏側から裏板４で押さえることにより、外枠１、面材２及び裏板４を一体化した額縁において、面材２と裏板４の間に、該面材２及び裏板４と略同形の透明な中間板５を配設し、該中間板５に展示物６を固定することから、展示物６の位置決めや装入を容易にし、手間や時間を省くとともに、中間板で支持することにより、額縁を立てた状態でも展示物６を安定させることができる。
【００２１】
この場合、面材２と中間板５とで展示物６を挟むようにすることにより、展示物６の位置決めや装入をさらに容易にするとともに、額縁を立てた状態では展示物６をさらに安定させることができる。
【００２２】
また、中間板５の上に、該中間板５と略同形の透明な押さえ中間板７を配設し、中間板５と押さえ中間板７とで展示物６を挟むとともに、該中間板５及び押さえ中間板７を、面材２と裏板４との中間位置に配設することにより、展示物６の位置決めや装入をさらに容易にしながら、展示物６を適度に浮かせた状態でさらに安定して固定することができる。
【００２３】
以上、本考案の額縁について、その実施例に基づいて説明したが、本考案は上記実施例に記載した構成に限定されるものではなく、各実施例に記載した構成を適宜組み合わせる等、その趣旨を逸脱しない範囲において適宜その構成を変更することができる。
【産業上の利用可能性】
【００２４】
本考案の額縁は、展示物の位置決めや装入を容易にして手間や時間を省くとともに、額縁を立てた状態でも展示物を安定させるという特性を有していることから、種々の展示物の額縁の用途に広く好適に用いることができる。
【図面の簡単な説明】
【００２５】
【図１】本考案の額縁の第１実施例を示す断面図である。
【図２】本考案の額縁の第２実施例を示す断面図である。
【図３】本考案の額縁の第３実施例を示す断面図である。
【図４】従来の額縁を示し、（ａ）はその断面図、（ｂ）は展示物の背面図である。
【符号の説明】
【００２６】
１    外枠
１ａ  かかり
２    面材
３    スペーサ
４    裏板
５    中間板
６    展示物（紙作品）
７    押さえ中間板
【図１】
0003127993.tif 000003
【図２】
0003127993.tif 000004
【図３】
0003127993.tif 000005
【図４】
0003127993.tif 000006